(57)【要約】 【課題】水分が付着した長尺製品に対し、その断面形状が複雑であったり、送り速度を上げたりしても、付着水分が完全に除去でき、且つ、送られている製品のバタ付き、キズ等の発生もない付着水分除去装置を提供する。【解決手段】本発明は、四角柱で長手方向に空気供給穴（1a）を穿設した上下２個の円筒ノズル取付け台（１）を互いに蝶着する。該各円筒ノズル取付け台（１）には、少なくとも１本の円筒ノズル（２）を上下対向させると共に空気噴出し方向が調節自在に支持させる。円筒ノズル（２）には、その中心に穿設した空気流入穴（2c）と連通する多数の空気噴出口（2g）を長手方向一列に穿設する。且つ、空気供給穴（1a）と空気流入穴（2c）とを連通させると共に、円筒ノズル取付け台（１）の下段側を基台（３）に固着させたことを特徴とする。【選択図】図１
2006289853.tif 000002
【特許請求の範囲】
【請求項１】
四角柱で長手方向に空気供給穴（1a）を穿設した上下２個の円筒ノズル取付け台（１）を互いに蝶着し、該各円筒ノズル取付け台（１）には、少なくとも１本の円筒ノズル（２）を上下対向させると共に空気噴出し方向が調節自在に支持させ、前記円筒ノズル（２）には、その中心に穿設した空気流入穴（2c）と連通する多数の空気噴出口（2g）を長手方向一列に穿設し、且つ、前記空気供給穴（1a）と前記空気流入穴（2c）とを連通させると共に、前記円筒ノズル取付け台（１）の下段側を基台（３）に固着させたことを特徴とする付着水分除去装置。
【請求項２】
前記円筒ノズル（２）が、複数本を前記円筒ノズル取付け台（１）に支持させた請求項１記載の付着水分除去装置。
【請求項３】
前記円筒ノズル（２）が、その本体部（2a）中間の外径を細くし、その中間部（22a）に前記空気噴出口（2g）を穿設した請求項１又は２記載の付着水分除去装置。
【請求項４】
上下対向する前記円筒ノズル（２）が、接触可能に前記円筒ノズル取付け台（１）に支持させた請求項３記載の付着水分除去装置。
【発明の詳細な説明】
【技術分野】
【０００１】
本発明は、プラスチックの長尺製品の製造過程において、連続押出し成形により成型金型から押出された長尺製品が水槽内を通して冷却され固化する際に、製品に付着している水分を高速で連続的に除去する付着水分除去装置に関する。
【背景技術】
【０００２】
従来、長尺のプラスチック製品において、連続押出し成形により成型金型から連続的に押出された長尺製品、特にチャックテープ等では、水槽内を通して冷却させて固化するが、その際に、長尺製品に水分が付着している。この付着した水分を連続的に除去するのに圧縮空気をノズルから噴出させ、その噴出する空気で製品に付着した水分を除去させている。そして、その除去装置としてはリング状パイプの内側全体から中心に向って圧縮空気を噴出させ、そのリング状パイプの中央に、水分が付着した長尺製品を連続的に通すことにより、長尺製品に付着した水分を除去するエアーリング、あるいは長尺製品が通過する四角形状の長穴を形成し、その長穴の上下方向から圧縮空気を噴出させるノズル穴を形成したエアーブロック等があった。
【０００３】
しかしながら、従来の水分除去方法では、長尺製品の断面形状がシンプルなものに対しては水分除去の効果があるも、断面形状の複雑な長尺製品、例えばチャックテープ等では細溝内に入り込んだ水分が完全に除去されず、また、製品の送り速度を上げると水分の除去が不完全になると共に流れている長尺製品が噴出空気によりバタ付き易く、製品が変形され、特に、エアーブロックにおいては、長尺製品が長穴を通過する際に壁に接触しキズを発生させたり、あるいは長尺製品に含まれるスリップ剤の粉等が長穴内に溜り易く、それが原因で製品にキズを付けたり切断したりする問題点を有していた。更にエアーブロックでは圧縮空気の噴出し方向が一定であり、一台で種々の長尺製品に対応できず、その都度専用のエアーブロックを用意しなければならない問題点を有していた。
【特許文献１】なし
【発明の開示】
【発明が解決しようとする課題】
【０００４】
本発明は上記従来の問題点に鑑み成されたものであって、その目的とするところは、前記した従来の技術の問題点を解消し、水分が付着した長尺製品に対し、その断面形状が複雑であったり、送り速度を上げたりしても、付着水分が完全に除去でき、且つ、送られている製品のバタ付き、キズ等の発生もない付着水分除去装置を提供するにある。
【０００５】
また、本発明の他の目的は、長尺製品を切らずに張ったまま本発明の水分除去装置を水分除去可能にセットできると共に、圧縮空気の噴出し方向が調整自在で種類の異なる長尺製品に対し充分な水分除去効果が得られる付着水分除去装置を提供するにある。
【課題を解決するための手段】
【０００６】
本発明は、四角柱で長手方向に空気供給穴（1a）を穿設した上下２個の円筒ノズル取付け台（１）を互いに蝶着する。該各円筒ノズル取付け台（１）には、少なくとも１本の円筒ノズル（２）を上下対向させると共に空気噴出し方向が調節自在に支持させる。前記円筒ノズル（２）には、その中心に穿設した空気流入穴（2c）と連通する多数の空気噴出口（2g）を長手方向一列に穿設する。且つ、前記空気供給穴（1a）と前記空気流入穴（2c）とを連通させると共に、前記円筒ノズル取付け台（１）の下段側を基台（３）に固着させたことを特徴とする。
【０００７】
また本発明は、前記円筒ノズル（２）が、複数本を前記円筒ノズル取付け台（１）に支持させるのが好ましい。
【０００８】
更に、本発明は、前記円筒ノズル（２）が、その本体部（2a）中間の外径を細くし、その中間部（22a）に前記空気噴出口（2g）を多数穿設するのが好ましい。
【０００９】
また本発明は、上下対向する前記円筒ノズル（２）が、接触可能に前記円筒ノズル取付け台（１）に支持させるのが好ましい。
【発明の効果】
【００１０】
本発明は、四角柱で長手方向に空気供給穴（1a）を穿設した上下２個の円筒ノズル取付け台（１）を互いに蝶着し、該各円筒ノズル取付け台（１）には、少なくとも１本の円筒ノズル（２）を上下対向させると共に空気噴出し方向が調節自在に支持させたことにより、上の円筒ノズル（２）が開閉でき、その上の円筒ノズル（２）を開いた状態で水分が付着した長尺な製品を上下の円筒ノズル（２）の間に通過させて、その後上の円筒ノズル（２）を閉じれば長尺製品は上下の円筒ノズル（２）の間に簡単に付着水分を除去する状態でセットできる。また、外形が円形な円筒ノズル（２）を上下に対向して配置しているため、その間を通過する長尺製品は例え上下の円筒ノズル（２）に接触しても、円筒ノズル（２）が円形であるから円滑に滑り長尺製品にキズをつけることがない。
【００１１】
また、前記円筒ノズル（２）が、前記円筒ノズル取付け台（１）に空気噴出し方向が調節自在に支持させ、前記円筒ノズル（２）の中心に穿設した空気流入穴（2c）と連通する多数の空気噴出口（2g）を長手方向一列に穿設したことにより、上下の前記円筒ノズル（２）の空気噴出口（2g）は、その空気噴出し方向が自由に変えられる。このことは、長尺製品の送り速度、断面形状、材質等に応じて、長尺製品に対する空気噴出方向の選定ができ、空気の噴出角度、圧力等の調整が可能となり、付着した水分除去が最適化を可能と成す。
【００１２】
更に、上下の前記円筒ノズル（２）には、多数の空気噴出口（2g）を一列に設けているため、長尺製品の上下から均一な空気が噴き付けられ、水分除去のムラが生じず、且つ長尺製品のバタ付きを発生させることもない。
【００１３】
また、前記円筒ノズル（２）は、前記円筒ノズル取付け台（１）から横方向に突出させているため、上下の円筒ノズル（２）間を通過する長尺製品の状態を見ることができ、長尺製品の変化や異物をいち早く発見し、迅速に対応することができ、且つ長尺製品からのスリップ剤等の粉やメヤニ等が発生しても、円筒ノズル（２）間に溜らず外部に排出され、それが原因で長尺製品にキズを付けたり、切断されるようなこともない。
【００１４】
更に、前記円筒ノズル（２）が、複数本を前記円筒ノズル取付け台（１）に支持させたことにより、一本の円筒ノズル（２）を設けたものに比べ、長尺製品の送り方向に対して多段的に付着水分が除去でき、水分の取り残しがなく完全に除去できる。また、この場合には、長尺製品が複数本の円筒ノズル（２）で上下を案内されるため、長尺製品の送り速度を早くしてもバタ付きがなく円滑に送られ、長尺製品の変形やキズ等がより良好に防止される。
【００１５】
また、前記円筒ノズル（２）が、その長手方向に中間部（22a）の外径を細くし、その中間部（22a）に前記空気噴出口（2g）を穿設し、且つ上下の円筒ノズル（２）が接触可能に支持されたことにより、長尺製品が上下円筒ノズル（２）の中間部（22a）の空間を通るように案内されるため、長尺製品の上下左右のブレがなく、その中間部（22a）に設けた空気噴出口（2g）からの噴出空気が効率よく長尺製品に噴出され、水分除去の効果をより高める。
【発明を実施するための最良の形態】
【００１６】
以下、本発明の実施形態を図面に基づき説明する。図１は本発明の実施形態を示す要部断面の全体説明図であり、図２は本発明の円筒ノズル取付け台の正面図、図３は本発明の円筒ノズル取付け台の断面図、図４は本発明の円筒ノズル取付け台で他の実施形態を示す正面図、図５は本発明の円筒ノズルを示す正面図、図６は本発明の円筒ノズルで他の実施形態を示す正面図、図７は本発明の他の実施形態を示す全体説明図、図８は本発明の円筒ノズルによる水分除去方法を示す説明図、図９は本発明の全体斜視図である。
【００１７】
図１〜３に示すように、（１）は四角柱の円筒ノズル取付け台であり、該円筒ノズル取付け台（１）には、その長手方向の上部に空気供給穴（1a）を穿設し、該空気供給穴（1a）の入口にはプラグを接続するテーパーネジ穴（11a）を形成し、且つ該空気供給穴（1a）と直交する少なくとも１個の段付き穴（1b）を穿設している。
【００１８】
この円筒ノズル取付け台（１）は、図１に示すように、上下２個配置し、それらの段付き穴（1b）の小径側に相当する片側を蝶番（４）で蝶着させている。
【００１９】
また図４に示すように、円筒ノズル取付け台（１）の他の実施形態としては、複数の段付き穴（1b）を穿設させるのが後述する円筒ノズル（２）を複数本取付けるのに好ましい。
【００２０】
（２）は円筒ノズルであり、図５に示すように、大径の本体部（2a）と小径の挿入部（2b）との段付き形状のものである。そして、この円筒ノズル（２）の中心には、挿入部（2b）側から空気流入穴（2c）を本体部（2a）の途中まで穿設し、この空気流入穴（2c）の入口にはネジ部（2d）を形成させている。更に、挿入部（2b）には、その外周に溝部（2e）を形成し、その溝部（2e）に空気流入穴（2c）と連通する通気穴（2f）を穿設し、且つ前記本体部（2a）の長手方向には、空気流入穴（2c）と直交して連通する多数の空気噴出口（2g）を一列に穿設させている。また、空気噴出口（2g）の穴径としては略0.5mm〜1.0
mmが、チャックテープの付着水分除去には好ましい。
【００２１】
この円筒ノズル（２）は、その挿入部（2b）を円筒ノズル取付け台（１）に穿設した段付き穴（1b）の大径側に挿入し、段付き穴（1b）の小径側から挿入したボルト（５）を、円筒ノズル（２）の挿入したネジ部（2d）に螺着させ、円筒ノズル（２）は上下の円筒ノズル取付け台（１）に取付けられる。従って、円筒ノズル（２）は、上下の円筒ノズル取付け台（１）に上下対向させて所定間隔で取付けられると共に、ボルト（５）を弛めることにより、円筒ノズル（２）が回動自在となり、空気噴出口（2g）の噴出し方向が調整自在に支持され、噴出し方向の調整が完了したらボルト（５）を閉めて固定される。尚、上下の円筒ノズル（２）の間隔は、長尺製品が容易に通過可能な間隔に取付けられる。
【００２２】
そして、円筒ノズル取付け台（１）に円筒ノズル（２）を取付けた状態においては、円筒ノズル取付け台（１）の空気供給穴（1a）と円筒ノズル（２）の溝部（2e）の位置を一致するようにしてあり、空気供給穴（1a）と溝部（2e）が連通する。従って、空気供給穴（1a）から供給された高圧空気は、溝部（2e）に入り、その溝部（2e）に穿設した通気穴（2f）に入り、空気流入穴（2c）に供給され、空気流入穴（2c）と連通する空気噴出口（2g）から外に噴出される。
【００２３】
更に図１に示すように、円筒ノズル取付け台（１）に円筒ノズル（２）を取付けた状態においては、上部の円筒ノズル（２）が円筒ノズル取付け台（１）に設けた蝶番（４）で矢印の方向に開閉自在となっている。これにより水分が付着した長尺製品を上下の円筒ノズル取付け台（１）間にセットするには、上の円筒ノズル（２）を開き、長尺製品を下の円筒ノズル（２）上に置き、上の円筒ノズル（２）を閉じれば簡単にセットができる。
【００２４】
図６は円筒ノズル（２）の他の実施形態を示すものであり、本体部（2a）の中間の外形を細くし、その細くした中間部（22a）に多数の空気噴出口（2g）を長手方向一列に穿設したものである。また、前記中間部（22a）は、図７に示すように、上下の円筒ノズル（２）の本体部（2a）が接触した状態で、長尺製品が容易に通過できる程度の空間を本体部（2a）に形成するように、中間部（22a）の外径を細くするのが好ましい。この実施形態において、円筒ノズル（２）の中間部（22a）を除く本体部（2a）の外径は、各円筒ノズル取付け台（１）の縦幅と同一寸法の外径にするのが、上下の本体部（2a）が密着し上下の中間部（22a）で上下左右が閉ざされた空間を形成でき、好ましい。
【００２５】
図８は本発明の上下の円筒ノズル（２）でもって長尺製品の付着水分を除去する方法を示す説明図であり、上下の円筒ノズル（２）の空気噴出口（2g）は長尺製品の矢印した送り方向の後方に向って高圧空気を噴出させ、その際に、長尺製品の材質、形状等の種類により、ボルト（５）を弛めて円筒ノズル（２）を回し空気噴出口（2g）の向きを微調整できる。
【００２６】
更に、図４に示すように、円筒ノズル取付け台（１）に多数の段付き穴（1b）を穿設し、図９に示す如く上下の円筒ノズル取付け台（１）に複数本の円筒ノズル（２）を取付けるのが好ましい。この複数本の円筒ノズル（２）を取付けた実施形態においては、上下の円筒ノズル（２）間を通過する長尺製品が複数本の円筒ノズル（２）により案内され、スムーズに流れ、バタ付きが起り難く、且つ各円筒ノズル（２）の噴出方向が必要に応じて個々に変えられ、長尺製品の種類が変っても充分に対応でき水分除去効率を充分に高める微調整ができる。
【産業上の利用可能性】
【００２７】
本発明は、長尺製品の付着水分除去及び空気冷却の装置として利用できる。
【図面の簡単な説明】
【００２８】
【図１】本発明の実施形態を示す要部断面の全体説明図である。
【図２】本発明の円筒ノズル取付け台の正面図である。
【図３】本発明の円筒ノズル取付け台の断面図である。
【図４】本発明の円筒ノズル取付け台で他の実施形態を示す正面図である。
【図５】本発明の円筒ノズルを示す正面図である。
【図６】本発明の円筒ノズルで他の実施形態を示す正面図である。
【図７】本発明の他の実施形態円筒ノズルを示す全体説明図である。
【図８】本発明の円筒ノズルによる水分除去方法を示す説明図である。
【図９】本発明の他の実施形態を示す全体斜視図である。
【符号の説明】
【００２９】
１  円筒ノズル取付け台
1a  空気供給穴
２  円筒ノズル
2a  本体部
2c  空気流入穴
2g  空気噴出口
22a  中間部
３  基台
【図１】
2006289853.tif 000003
【図２】
2006289853.tif 000004
【図３】
2006289853.tif 000005
【図４】
2006289853.tif 000006
【図５】
2006289853.tif 000007
【図６】
2006289853.tif 000008
【図７】
2006289853.tif 000009
【図８】
2006289853.tif 000010
【図９】
2006289853.tif 000011